【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
患者インターフェイス装置及び被験者の気道を含む空気制御システムを作るため前記患者インターフェイス装置を被験者の気道に結合させるステップと、前記患者インターフェイス装置に動作的に結合される励振源を介して被験者の気道のガスの圧力、流量又はボリュームを振動するステップと、前記空気制御システムのガスの流量及び圧力を決定し、流量及び圧力を表すそれぞれの時系列を作るステップと、それぞれの時系列を時間―周波数領域に変換して変換時系列を作るステップと、変換された時系列から圧力及び流量のパワーを推定するステップと、変換された時系列に基づいて流量及び圧力のそれぞれのクロススペクトルを推定するステップと、推定されたパワー及び推定されたクロススペクトルから被験者の呼吸インピーダンスを推定するステップと、推定されたインピーダンスの信頼限界を決定するステップとを有する、呼吸インピーダンスを推定する方法。
【請求項２】
推定されたパワー及びクロススペクトルから被験者の呼吸インピーダンスを推定するステップは、それぞれのパワー及びクロススペクトルから、圧力波から流量及び圧力へのそれぞれの伝達関数を決定するステップと、流量及び圧力伝達関数から呼吸インピーダンスを推定するステップとを有する、請求項１に記載の方法。
【請求項３】
流量及び圧力に対する測定の時系列は、ｑｔ及びｐｔでそれぞれ示され、それぞれの時系列を時間―周波数領域に変換するステップは、離散的時間ｔ及び異なる周波数ｆｍ＝ｍ／Ｍの関数として流量
2013512718.tif 000001
及び圧力
2013512718.tif 000002
を与えるために、流量の時系列に対して
2013512718.tif 000003
と圧力の時系列に対して
2013512718.tif 000004
とを評価するステップを有し、ここで、ｍは周波数指標であり、Ｍは時間―周波数フィルタの実効幅であり、ｉ２＝−１であり、加重ファクタｗｌは、時間の窓関数
2013512718.tif 000005
により近似され、Δｔは時間の不確定度である、請求項１又は２に記載の方法。
【請求項４】
窓関数がガウス関数、三角関数、区分的線形近似関数又は多項式関数である、請求項３に記載の方法。
【請求項５】
流量及び圧力のパワーを推定するステップは、流量に対する
2013512718.tif 000006
及び圧力に対する
2013512718.tif 000007
を評価するステップを有し、ＮＳは時間―周波数領域のサンプルの数であり、Ｋ２＝１／２（ＮＳ−１）であり、ＮＳは奇数であり、｜・｜は絶対値を表わす、請求項３に記載の方法。
【請求項６】
生成された圧力波を持つ流量及び圧力のクロススペクトルを推定するステップが、流量に対する
2013512718.tif 000008
と、圧力に対する
2013512718.tif 000009
とを評価するステップを有し、＊は複素共役を示し、
2013512718.tif 000010
は圧力波を表す、請求項５に記載の方法。
【請求項７】
推定されたパワー及びクロススペクトルから被験者の呼吸インピーダンスを推定するステップは、
2013512718.tif 000011
を評価することにより圧力波から流量への伝達関数と、
2013512718.tif 000012
を評価することにより圧力波から圧力への伝達関数とを決定するステップを有し、ここで、呼吸インピーダンスは、実数成分ＲｒＳｔ，ｍ及び虚数成分ＸｒＳｔ，ｍを持つ
2013512718.tif 000013
を評価することにより推定される、請求項６に記載の方法。
【請求項８】
2013512718.tif 000014
を使用して圧力波と流量との間の二乗コヒーレンスを決定するステップと、
2013512718.tif 000015
を使用して圧力波と圧力との間の二乗コヒーレンスを決定するステップと、
パワー及びクロススペクトルの自由度ηの数を決定するステップと、
2013512718.tif 000016
から流量に関係する変数Ａｑ，ｔ，ｍ２を決定するステップと、
2013512718.tif 000017
から圧力に関係する変数Ａｐ，ｔ，ｍ２を決定するステップと、Ｒｒｓ・ｃ１±ｃ２及びＸｒｓ・ｃ１±ｃ２それぞれから推定されたインピーダンスの実数部分及び虚数部分に対する１００（１−α）％の信頼限界を決定するステップであって、ここでｃ１＝１＋Ａｑ，ｔ，ｍ・ｃ３、ｃ２＝｜ＺｒＳｔ，ｍ｜・ｃ３、及び
2013512718.tif 000018
であるステップとを含む、推定されたインピーダンス上の信頼限界を決定するステップを更に有する、請求項７に記載の方法。
【請求項９】
Ａｑ，ｔ，ｍ≧第１の閾値又はＡｐ，ｔ，ｍ≧第２の閾値の何れかである場合、所与の時間及び周波数に対する呼吸インピーダンスの推定値を拒絶するステップを更に有する、請求項８に記載の方法。
【請求項１０】
第１の閾値が１であり、第２の閾値が１である、請求項９に記載の方法。
【請求項１１】
変換された時系列に基づいて流量及び圧力のそれぞれのクロススペクトルを推定するステップが、入力としてガスの振動圧力、流量又はボリュームと出力として流量及び圧力とを持つモデルを使用して、最小二乗基準に基づいてなされる、請求項１に記載の方法。
【請求項１２】
前記空気制御システムのガスの流量を決定するステップが、前記空気制御システムに動作的に結合された流量センサを使用して流量を測定することにより達成され、前記空気制御システムのガスの圧力を決定するステップが、前記空気制御システムに動作的に結合された圧力センサを使用して達成される、請求項１に記載の方法。
【請求項１３】
患者インターフェイス装置と、被験者の気道のガスの圧力、流量又はボリュームの振動を生成するための励振源と、患者インターフェイス装置及び被験者の気道により規定される空気圧回路のガスの流量及び圧力を決定し、流量又は圧力を表しているそれぞれの時系列の値を出力するための手段と、プロセッサとを有し、前記プロセッサは、それぞれの時系列を時間―周波数領域へ変換し、それぞれ変換された時系列に基づいて、流量及び圧力のパワーを推定し、それぞれ変換された時系列に基づいて、流量及び圧力のそれぞれのクロススペクトルを推定し、推定されたパワー及びクロススペクトルから被験者の呼吸インピーダンスを推定し、推定された呼吸インピーダンスに対する信頼限界を決定する、呼吸インピーダンスを推定するための装置。
【請求項１４】
前記空気圧回路のガスの流量及び圧力を決定するための手段が、前記空気制御システムに動作的に結合された流量センサと、前記空気制御システムに動作的に結合された圧力センサとを有する、請求項１３に記載の装置。
【請求項１５】
変換された時系列に基づいて流量及び圧力のそれぞれのクロススペクトルを推定することが、入力としてガスの振動する圧力、流量又はボリュームと、出力として流量及び圧力とを持つモデルを使用して、最小二乗基準に基づいてなされる、請求項１３に記載の装置。
【請求項１６】
前記プロセッサが、流量及び圧力それぞれのパワー及びクロススペクトルから、圧力波から流量及び圧力へのそれぞれの伝達関数を決定し、流量及び圧力の伝達関数から呼吸インピーダンスを推定することにより、推定されたパワー及びクロススペクトルから被験者の呼吸インピーダンスを推定する、請求項１３に記載の装置。
【請求項１７】
適切なプロセッサ又はコンピュータによる実行の際、前記プロセッサ又はコンピュータが請求項１乃至１２の何れか一項に記載の方法を実施するコンピュータ可読媒体に組み込まれたコンピュータ可読のコードを具備する、コンピュータプログラム。